(57)【要約】【課題】簡単な構成で複写後の用紙の間仕切位置を明瞭にすることができる複写処理システムを提供する。【解決手段】複写処理システムは、原稿Ｂから読み取った画像データに基づく画像を用紙Ｐに形成する画像形成装置１０と、画像形成後の用紙ＰにパンチホールＰ２を形成する後処理装置とを備えている。この複写処理システムにおいて、原稿ＢにタブＢ１がある場合には、用紙Ｐに画像を形成する位置および用紙ＰにパンチホールＰ２を形成する位置を用紙搬送方向にずらすようにした。【選択図】図１
2008233658.tif 000002
【特許請求の範囲】
【請求項１】
原稿読取部で原稿の画像データを読み取り、用紙搬送路に沿って用紙を搬送しながら当該用紙に画像形成部で前記画像データに基づく画像を形成する画像形成装置と、この画像形成装置から送り出された画像形成後の用紙を用紙搬送路に沿って搬送しながら当該用紙にパンチ部でパンチホールを形成する後処理装置と、この後処理装置および前記画像形成装置を統括して制御する制御部とを備えた複写処理システムにおいて、
前記原稿読取部には、原稿にタブがあるか否かを検知するタブ検知手段が設けられており、前記制御部は、前記タブ検知手段が原稿にタブがあることを検知したときに、前記画像形成部が用紙に画像を形成する位置を用紙搬送方向にずらすとともに、前記パンチ部が用紙にパンチホールを形成する位置を用紙搬送方向にずらすように前記画像形成装置および後処理装置を制御するものであることを特徴とする複写処理システム。
【請求項２】
前記原稿読取部は、原稿にタブがある場合には、当該タブを含む原稿の画像データを読み取るものであることを特徴とする請求項１に記載の複写処理システム。
【請求項３】
前記原稿読取部は、原稿を搬送するための原稿搬送路を有しており、前記タブ検知手段は、前記原稿搬送路に、原稿搬送方向と直交する方向に並んで設けられた複数のセンサで構成されていることを特徴とする請求項１または２に記載の複写処理システム。
【発明の詳細な説明】
【技術分野】
【０００１】
本発明は、画像形成装置および後処理装置を備える複写処理システムに関するものである。
【背景技術】
【０００２】
従来、例えば特許文献１に記載されているような、画像形成装置および後処理装置を備えた複写処理システムが知られている。
【０００３】
前記画像形成装置は、原稿読取部で原稿の画像データを読み取り、用紙搬送路に沿って用紙を搬送しながら当該用紙に画像形成部で前記画像データに基づく画像を形成するものであり、前記後処理装置は、画像形成装置から送り出された画像形成後の用紙を用紙搬送路に沿って搬送しながら当該用紙に所定の後処理を施すものである。この所定の後処理とは、例えばパンチ部で用紙にパンチホールを形成することやステープル処理部で用紙にステープル処理すること等である。
【０００４】
また、このような複写処理システムでは、画像形成装置および後処理装置が制御部によって統括して制御されるようになっている。
【特許文献１】特開平７−１３４７０号公報
【発明の開示】
【発明が解決しようとする課題】
【０００５】
ところで、前記のような複写処理システムでは、タブ付の原稿で間仕切された複数枚の原稿をまとめて複写する場合、単一の用紙に連続して同じように複写すると、複写された用紙のうちのどの用紙がタブ付の原稿に対応するものであったかが分かり難くなって、複写後の用紙の間仕切位置が分かり難くなるという問題がある。
【０００６】
ここで、例えば特許文献１には、色の違う用紙である合紙を挿入する技術が開示されているが、このような合紙を用いる場合、合紙専用のトレイを設けて複雑な制御を行う必要がある。
【０００７】
本発明は、このような事情に鑑み、簡単な構成で複写後の用紙の間仕切位置を明瞭にすることができる複写処理システムを提供することを目的とする。
【課題を解決するための手段】
【０００８】
請求項１に係る発明は、原稿読取部で原稿の画像データを読み取り、用紙搬送路に沿って用紙を搬送しながら当該用紙に画像形成部で前記画像データに基づく画像を形成する画像形成装置と、この画像形成装置から送り出された画像形成後の用紙を用紙搬送路に沿って搬送しながら当該用紙にパンチ部でパンチホールを形成する後処理装置と、この後処理装置および前記画像形成装置を統括して制御する制御部とを備えた複写処理システムにおいて、前記原稿読取部には、原稿にタブがあるか否かを検知するタブ検知手段が設けられており、前記制御部は、前記タブ検知手段が原稿にタブがあることを検知したときに、前記画像形成部が用紙に画像を形成する位置を用紙搬送方向にずらすとともに、前記パンチ部が用紙にパンチホールを形成する位置を用紙搬送方向にずらすように前記画像形成装置および後処理装置を制御するものであることを特徴とするものである。
【０００９】
ここで、タブ（「インデックス」ともいう）とは、原稿の端部から突出していてその表面に数字や見出し等が記載されたものであり、例えば定形サイズの原稿に貼り付けられるものや原稿が所定の形状とされることにより原稿に一体に設けられるもの等がある。
【００１０】
請求項２に係る発明は、請求項１に記載の複写処理システムにおいて、前記原稿読取部は、原稿にタブがある場合には、当該タブを含む原稿の画像データを読み取るものであることを特徴とするものである。
【００１１】
例えば、請求項３に係る発明のように、前記原稿読取部は、原稿を搬送するための原稿搬送路を有しており、前記タブ検知手段は、前記原稿搬送路に、原稿搬送方向と直交する方向に並んで設けられた複数のセンサで構成されている構成とすることができる。
【発明の効果】
【００１２】
請求項１に係る発明によれば、原稿にタブがある場合に、用紙にパンチホールを形成する位置を用紙搬送方向にずらすようにしたから、パンチホール形成後の用紙をファイリングすると、タブ付の原稿に対応する用紙だけが他の用紙からはみ出すようになる。従って、パンチホールの形成位置をずらすだけの簡単な構成で、タブ付の原稿に対応する用紙により複写後の用紙の間仕切位置を明瞭にすることができるようになる。しかも、原稿にタブがある場合には、用紙に画像を形成する位置も用紙搬送方向にずらすようにしたから、パンチホール形成後の用紙をファイリングしたときに、各用紙の画像形成位置を一致させることができるようになる。
【００１３】
請求項２に係る発明のように、原稿読取部が、原稿にタブがある場合には、当該タブを含む原稿の画像データを読み取るものであれば、前記のように用紙に画像を形成する位置が用紙搬送方向にずらされるため、画像形成位置がずらされる方向と反対側の用紙の端部にタブの情報が複写されるようになる。従って、パンチホール形成後の用紙をファイリングしたときにはみ出す用紙の端部がタブとしての役割を果たすようになる。
【発明を実施するための最良の形態】
【００１４】
以下、本発明を実施するための最良の形態について、図面を参照しながら詳細に説明する。
【００１５】
図１に、本発明の一実施形態に係る複写処理システムを示す。この複写処理システムは、原稿読取部１２で原稿Ｂの画像データを読み取り、用紙搬送路Ｌ２に沿って用紙Ｐを搬送しながら当該用紙Ｐに画像形成部１３で前記画像データに基づく画像を形成する画像形成装置１０と、この画像形成装置１０から送り出された画像形成後の用紙Ｐを用紙搬送路Ｌ３に沿って搬送しながら当該用紙Ｐに所定の後処理を施す後処理装置２０とを備えている。そして、画像形成装置１０および後処理装置２０は、図２に示すように、制御部９０によって統括して制御されるようになっている。
【００１６】
前記画像形成装置１０は、箱形を呈した装置本体１１に原稿読取部１２と、画像形成部１３と、給紙部１４とが装着されることによって構成されている。原稿読取部１２は、装置本体１１の上面側に設けられているのに対し、画像形成部１３は、装置本体１１内の略中央部に設けられているとともに、給紙部１４は、装置本体１１内における画像形成部１３の下方位置に設けられている。
【００１７】
前記原稿読取部１２は、光学的に読み取った原稿画像から画像データを生成するスキャナー等を有し、その上面に第１コンタクトガラス１２１と第２コンタクトガラス１２２とを備えている。第１コンタクトガラス１２１は、原稿押えを兼ねた原稿自動読取装置１２３を開いてマニュアル操作で原稿をセットするときに使用されるものであり、装置本体１１の上面中央部の略全面に設けられている。これに対し第２コンタクトガラス１２２は、原稿自動読取装置１２３上に載置された複数枚の原稿Ｂを、自動的に順次読み取るときに使用されるものであり、原稿搬送機構１２４の駆動で第２コンタクトガラス１２２に接するようにして原稿搬送路Ｌ１に沿って順次搬送される原稿Ｂから当該原稿Ｂの画像データが読み取られるようになっている。そして、読み取られた原稿Ｂの画像データは、前記制御部９０に送信される。
【００１８】
前記原稿搬送機構１２４は、原稿載置部１２５と、搬入ローラ対等を備えた搬入駆動部１２６と、搬送ローラ対１２７と、排出ローラ対１２８と、排紙台１２９とを備え、原稿載置部１２５に載置された原稿Ｂを自動的に一枚ずつ第２コンタクトガラス１２２に接触させつつ搬送し、原稿Ｂの露光走査後に排紙台１２９に排出するようになっている。
【００１９】
前記給紙部１４には、複写用の用紙Ｐが収納される上下２段の給紙カセット１４１と、手差し給紙部１４２とが設けられている。そして、前記用紙搬送路Ｌ２は、給紙カセット１４１から画像形成部１３へ用紙Ｐを搬送するためのカセット側搬送路１４３と、手差し給紙部１４２から画像形成部１３へ用紙Ｐを搬送するための手差し側搬送路１４５とを有している。また、各給紙カセット１４１および手差し給紙部１４２は、収納されている用紙Ｐを取り出すためのピックアップローラ１４６と、用紙Ｐを１枚ずつ搬送路に送り出す給紙ローラ対１４７とをそれぞれ備えている。
【００２０】
カセット側搬送路１４３には、各給紙カセット１４１からピックアップローラ１４６および給紙ローラ対１４７を介して給紙された用紙Ｐを搬送する搬送ローラ対１４８と、画像形成部１３の手前で搬送されてくる用紙Ｐを所定位置に待機させるためのレジストローラ対１４９とが設けられている。なお、手差し側搬送路１４５は、レジストローラ対１４９の上流側でカセット側搬送路１４３と合流している。
【００２１】
前記画像形成部１３は、回転可能な感光体ドラム１３０を有し、この感光体ドラム１３０の周囲に沿うように帯電部１３１、現像部１３２、転写ローラ１３４、およびクリーニング部１３６が配設されているとともに、その外側にレーザ走査ユニット１３３および定着ローラ対１３５が配設されている。
【００２２】
帯電部１３１は、感光体ドラム１３０の表面を所定電位に均一に帯電させるものであり、レーザ走査ユニット１３３は、前記制御部９０から送信される画像データに基づきレーザービームを感光体ドラム１３０の表面に照射し、感光体ドラム１３０表面に静電潜像を形成するものである。
【００２３】
また、現像部１３２は、静電潜像にトナーを付着させて画像を顕在化させるものであり、転写ローラ１３４は、顕在化したトナー像を用紙Ｐに転写するものである。また、定着ローラ対１３５は、用紙Ｐに転写されたトナー像を定着させるものであり、クリーニング部１３６は、画像転写後に感光体ドラム１３０の表面に残留しているトナーを清掃除去して清浄化し、つぎの静電潜像形成に備えるものである。
【００２４】
そして、装置本体１１の上部には、排出ローラ対１３８と排紙口１３９とからなる用
紙排出部１３６が設けられ、定着ローラ対１３５から導出された用紙Ｐが排出ローラ対１３８を介して排紙口１３９から系外へ排出されるようになっている。前記定着ローラ対１３５の直下流側には排出分岐ガイド１３７が設けられ、この排出分岐ガイド１３７によって用紙Ｐの排出先を用紙排出部１３６向けと洞内排紙トレイ１１１向けとのいずれかに切り換え得るようになっている。
【００２５】
また、装置本体１１の前面側の上部適所には、複写情報入力部１０１が設けられているとともに、この複写情報入力部１０１に隣接して後処理情報入力部１０２が設けられている。
【００２６】
前記複写情報入力部１０１は、複写に関する情報を入力するためのものであり、所定のボタンやテンキーからの入力操作で原稿のサイズや、複写される用紙Ｐのサイズ、さらには複写枚数、拡大・縮小の倍率等を入力し得るようになっている。かかる複写情報入力部１０１からの入力情報に基づいて複写処理が実行される。
【００２７】
前記後処理情報入力部１０２は、画像形成装置１０で複写処理が実行された後の用紙Ｐに対して後処理を施すに際し、当該後処理に関する情報（条件）を入力するものであり、パンチング処理の有無、ステープル処理の有無、ステープル処理を行う場合のステープル位置等が所定のキーボタン操作で入力されるようになっている。
【００２８】
また、これら複写情報入力部１０１および後処理情報入力部１０２の近傍には警報を含む各種の情報を表示出力する表示部１０３が設けられている。
【００２９】
そして、排紙口１３９から排紙された定着処理済（画像形成後）の用紙Ｐは、前記後処理装置２０へ導入され、前記後処理情報入力部１０２からの後処理情報に基づいて所定の後処理が施されることになる。
【００３０】
前記後処理装置２０は、画像形成装置１０から排紙口１３９を介して搬入された用紙Ｐに対しフィニッシング処理の一つであるパンチング処理を施すパンチ部３０と、このパンチ部３０の下流側に設けられ、用紙束Ｐ１に対しステープル処理を施すステープル処理部４０と、パンチング処理およびステープル処理のいずれか一方または双方の施された用紙Ｐまたは用紙束Ｐ１を系外に排紙する排紙部５０と、パンチ部３０によるパンチング処理が施された用紙Ｐの内でステープル処理部４０へ供給される前に一時的に退避させる必要があるものを貯留する用紙退避部６０と、ステープル処理部４０で中央部にステープル処理の施された用紙束Ｐ１に中折り処理を施す中折り部７０とがそれぞれ箱形を呈した装置本体２１に装着されることによって構成されている。
【００３１】
前記装置本体２１の前記装置本体１１に対する当接面には、装置本体１１の排紙口１３９と対向した用紙受入口２２が設けられ、画像形成装置１０から排紙口１３９を介して排紙された定着処理済の用紙Ｐは、この用紙受入口２２から用紙後処理装置２０内に導入されるようになっている。
【００３２】
前記パンチ部３０は、装置本体２１内における用紙受入口２２の直下流側に形成されている。かかるパンチ部３０には、給紙された用紙Ｐの用紙搬送方向側の端部に一対の綴じ孔を穿孔してパンチホールＰ２（図４（ｂ）参照）を形成する所定のパンチマシン３１が設けられている。
【００３３】
前記ステープル処理部４０は、パンチマシン３１の直下流側であって用紙退避部６０の直下位置に設けられ、搬送されてきた用紙Ｐを用紙束Ｐ１として一時的にストックする中間トレイ４１を有している。パンチ部３０あるいは用紙退避部６０から送り出された用紙Ｐは、中間トレイ４１上へ供給され、この中間トレイ４１上で貯留されて用紙束Ｐ１になる。そして、ステープル処理部４０は、かかる用紙束Ｐ１に対して各種の態様でステープル処理を施すようになっている。
【００３４】
前記排紙部５０は、装置本体２１に昇降可能に設けられたメイン排紙トレイ５１と、このメイン排紙トレイ５１の上方位置に向けられた複数段のサブ排紙トレイ５２と、これら各排紙トレイ５１，５２を昇降させる昇降機構（図示せず）とを備えて構成されている。メイン排紙トレイ５１へは、中間トレイ４１でステープル処理が施された用紙束Ｐ１が排出されるようになっている。これに対し、サブ排紙トレイ５２へは、パンチ部３０を通過しステープル処理部４０を経ることなく用紙退避部６０へ向けて送り出された用紙束Ｐ１が用紙退避部６０の一部を介して排紙されるようになっている。
【００３５】
なお、前記昇降機構は、各排紙トレイ５１，５２上に排出された用紙束Ｐ１あるいは用紙Ｐの上面が、用紙束Ｐ１の排出に適した高さレベルに位置するように各排紙トレイ５１，５２を昇降させるものである。
【００３６】
前記用紙退避部６０は、周面に用紙Ｐを保持する筒状の退避ドラム６１と、この退避ドラム６１の周面を離間状態で覆ったカバーガイド６２とを備えて構成されている。そして、一時的に退避されるべき用紙Ｐが送り込まれてくると、その用紙Ｐは、退避ドラム６１の周面とカバーガイド６２の内面との間の隙間に導入され、ここで所定の条件が満足されるまでの間一時的に貯留され、条件が満足されると次の用紙Ｐに同伴してステープル処理部４０へ給紙されるようになっている。
【００３７】
前記中折り部７０は、ステープル処理部４０において中央部にステープル処理が施された用紙束Ｐ１に対し、ステープル位置を境にして二つ折り（中折り）に折り曲げ処理を施すものであり、ステープル処理部４０の下流端から先下がりに延設された中折り用搬送路へ搬出された用紙束Ｐ１の中央部を押し曲げる押し板７１と、この押し板７１によって二つ折りにされた用紙束Ｐ１を押圧挟持して中折り状態を安定させる中折りローラ対７２と、この中折りローラ対７２によって中折りされた後の用紙束Ｐ１の外部への排出を上方から案内する案内板７３と、この案内板７３に案内されつつ排出された用紙束Ｐ１を受ける中折りトレイ７４とを備えている。
【００３８】
さらに、本実施形態に係る複写処理システムでは、図４（ａ）に示すように、タブＢ１を有するタブ付の原稿Ｂｂがタブなしの原稿Ｂａの間に挟まれることによりタブ付の原稿Ｂｂで間仕切された複数枚の原稿Ｂａ，Ｂｂをまとめて複写する場合であって、複写後の用紙Ｐに対してパンチ部３０でパンチング処理を施す場合、複写後の用紙Ｐの間仕切位置を明瞭にするための構成が採用されている。
【００３９】
前記原稿Ｂａ，Ｂｂのサイズは、例えばＡ４またはＢ５である。この原稿Ｂａ，Ｂｂには、短手方向の一方（図例では左側）の端部に一対の綴じ孔Ｂ２が形成されており、前記タブＢ１は、原稿Ｂｂの短手方向の他方（図例では右側）の端部から原稿Ｂｂの短手方向に所定の幅で突出している。なお、綴じ孔Ｂ２およびタブＢ１は、原稿Ｂａ，Ｂｂの長手方向の一方または他方の端部に設けられていてもよい。
【００４０】
前記構成を具体的に説明すると、前記原稿読取部１２の原稿搬送路Ｌ１には、図３（ａ）に示すように、原稿搬送方向（図中の矢印の方向）と直交する方向に並んで複数の反射型の光電センサ８０ａ〜８０ｆが設けられている。通常、原稿搬送路Ｌ１には、原稿搬送方向に所定の間隔でジャムを検知するための複数の反射型の光電センサ（図示せず）が設けられているので、そのうちの１つの光電センサの側方にこれと同型の複数の光電センサを配列すれば、当該ジャム検知用の光電センサを利用して前記光電センサ８０ａ〜８０ｆを設けることができる。
【００４１】
そして、原稿Ｂａ，Ｂｂがその短手方向が原稿搬送方向となるように原稿載置部１２５に載置され、原稿搬送機構１２４によって原稿Ｂａ，Ｂｂが原稿搬送路Ｌ１に沿って搬送されると、タブなしの原稿Ｂａが光電センサ８０ａ〜８０ｆ上を通過する際には、全ての光電センサ８０ａ〜８０ｆのＯＮおよびＯＦＦのタイミングが同じになるが、タブ付の原稿Ｂｂが光電センサ８０ａ〜８０ｆ上を通過する際には、図３（ｂ）に示すように、タブＢ１が通過する位置の光電センサ８０ｅだけが他の光電センサ８０ａ〜８０ｄ，８０ｆに比べＯＦＦのタイミングが遅くなる。これにより、原稿ＢｂにタブＢ１があることが分かる。すなわち、光電センサ８０ａ〜８０ｆは、原稿Ｂａ，ＢｂにタブＢ１があるか否かを検知するタブ検知手段８０を構成している。
【００４２】
一方、給紙カセット４１には、用紙Ｐがその短手方向が用紙搬送方向となるように収納されている。この用紙Ｐのサイズは、原稿Ｂａ，Ｂｂと同じであってもよいし、拡大または縮小して複写する場合には原稿Ｂａ，Ｂｂより大きくまたは小さくてもよい。そして、制御部９０は、タブ検知手段８０が原稿ＢｂにタブＢ１があることを検知したときに、画像形成部１３が用紙Ｐに画像を形成する位置を用紙搬送方向にずらすように画像形成装置１０を制御する。すなわち、画像形成装置１０は、用紙Ｐに画像を形成するタイミングが早められるように制御される。これにより、図４（ｂ）に示すように、タブ付の原稿Ｂｂに対応する用紙Ｐｂは、他の用紙Ｐａに比べ、画像形成位置がタブＢ１がある側と反対側に寄るようになる。
【００４３】
また、本実施形態では、原稿ＢｂにタブＢ１がある場合には、原稿読取部１２が当該タブＢ１を含む原稿の画像データを読み取るように構成されている。すなわち、原稿読取部１２は、タブ検知手段８０が原稿ＢｂにタブＢ１があることを検知したときに、読取時間が所定時間だけ延長されるように制御部９０に制御される。このことに加え、前記のように用紙Ｐｂに画像を形成する位置が用紙搬送方向に、すなわちタブＢ１がある側と反対側にずらされるようになっているため、画像形成位置がずらされる方向と反対側の用紙Ｐｂの端部のタブＢ１に対応する位置Ｐ１に、タブＢ１の情報が複写されるようになる。
【００４４】
さらに、制御部９０は、タブ検知手段８０が原稿ＢｂにタブＢ１があることを検知したときに、パンチ部３０が用紙ＰｂにパンチホールＰ２を形成する位置を用紙搬送方向にずらすように後処理装置２０を制御する。すなわち、後処理装置２０は、用紙ＰｂにパンチホールＰ２を形成するタイミングが早められるように制御される。これにより、図４（ｂ）に示すように、タブ付の原稿Ｂｂに対応する用紙Ｐｂは、他の用紙Ｐａに比べ、パンチホールＰ２の形成位置がタブＢ１がある側と反対側に寄るようになる。従って、図５に示すように、パンチホールＰ２形成後の用紙Ｐａ，Ｐｂをファイリングすると、タブ付の原稿ｂｂに対応する用紙Ｐｂだけが他の用紙Ｐａからはみ出すようになる。
【００４５】
このように、本実施形態によれば、パンチホールＰ２の形成位置をずらすだけの簡単な構成で、タブ付の原稿Ｂｂに対応する用紙Ｐｂにより複写後の用紙Ｐａ，Ｐｂの間仕切位置を明瞭にすることができるようになる。しかも、用紙Ｐｂに画像を形成する位置も用紙搬送方向にずらすことにより、パンチホール形成後の用紙Ｐａ，Ｐｂをファイリングしたときに、各用紙Ｐａ，Ｐｂの画像形成位置を一致させることができるようになる。
【００４６】
また、画像形成位置がずらされる方向と反対側の用紙Ｐｂの端部にはタブＢ１の情報が複写されているので、前記はみ出す用紙Ｐｂの端部がタブとしての役割を果たすようになる。
【００４７】
なお、前記実施形態では、タブ検知手段８０を構成する光電センサ８０ａ〜８０ｆが原稿読取部１２の原稿搬送路Ｌ１に設けられた形態を示したが、光源センサ８０ａ〜８０ｆは、原稿載置部１２５に設けられていてもよい。通常、原稿載置部１２５には、原稿Ｂのサイズを確認するための反射型の光電センサが原稿搬送方向に複数設けられているので、そのうちの１つの光電センサの側方にこれと同型の複数の光電センサを配列すれば、当該原稿サイズ確認用の光電センサを利用して前記光電センサ８０ａ〜８０ｆを設けることができる。
【図面の簡単な説明】
【００４８】
【図１】本発明の一実施形態に係る複写処理システムの概略構成図である。
【図２】複写処理システムのブロック部である。
【図３】（ａ）は、センサの配置を示す配置図、（ｂ）は、センサ上を原稿が通過するときのタイミングチャートである。
【図４】（ａ）は、原稿の平面図、（ｂ）は、パンチホール形成後の用紙の平面図である。
【図５】パンチホール形成後の用紙をファイリングした状態を説明する説明図である。
【符号の説明】
【００４９】
１０  画像形成装置
１２  原稿読取部
１３  画像形成部
２０  後処理装置
３０  パンチ部
８０  タブ検知手段
８０ａ〜８０ｆ  光電センサ
９０  制御部
Ｌ１  原稿搬送路
Ｌ２，Ｌ３  用紙搬送路
Ｂ，Ｂａ，Ｂｂ  原稿
Ｂ１  タブ
Ｐ，Ｐａ，Ｐｂ  用紙
Ｐ２  パンチホール
【図１】
2008233658.tif 000003
【図２】
2008233658.tif 000004
【図３】
2008233658.tif 000005
【図４】
2008233658.tif 000006
【図５】
2008233658.tif 000007